(57)【要約】【課題】入力切換に伴う画面表示モードの切換操作を簡素化することができるようにする。【解決手段】ＣＰＵ２０により、入力切換指示に応じて入力切換スイッチ部１１による入力端子の切り換えとカウンタ１７によるカウントが制御され、また画面表示モード切換指示に応じてＲＧＢプロセッサ１４による画面表示モードの切り換えが制御される際、入力端子としてのＩＮＰＵＴ１〜ＩＮＰＵＴ４の切り換えの制御に伴い、視聴時間記憶部１８に記憶されている画面表示モード毎の累積視聴時間が参照され、画面表示モード切換指示に応じて累積視聴時間の長い順に画面表示モードが切り換えられるようにＲＧＢプロセッサ１４による切り換えが制御されるようにした。【選択図】図１
2008042703.tif 000002
【特許請求の範囲】
【請求項１】
画面表示モードを切り換える画面表示モード切換装置であって、
少なくとも異なる映像信号が入力される複数の入力端子を有し、いずれかの入力端子に切り換える入力切換手段と、
この入力切換手段によって切り換えられた前記映像信号の画面表示モードを切り換える画面表示モード切換手段と、
前記入力端子のいずれかに切り換えられているときの前記画面表示モードでの視聴頻度をカウントするカウント手段と、
前記入力端子に対応し、前記カウント手段によってカウントされた前記画面表示モード毎の累積視聴頻度が記憶される記憶手段と、
入力切換指示に応じて前記入力切換手段による切り換えと前記カウント手段によるカウントとを制御し、画面表示モード切換指示に応じて前記画面表示モード切換手段による画面表示モードの切り換えを制御する制御手段とを備え、
前記制御手段は、前記入力切換手段による切り換えの制御に伴い、前記記憶手段に記憶されている前記画面表示モード毎の累積視聴頻度を参照し、前記画面表示モード切換指示に応じて前記累積視聴頻度の多い順に画面表示モードが切り換えられるように前記画面表示モード切換手段を制御する
ことを特徴とする画面表示モード切換装置。
【請求項２】
少なくとも前記画面表示モードの情報をオンスクリーン表示させるための表示信号を出力する表示信号出力手段を有し、
前記制御手段は、前記画面表示モード切換手段の制御に伴い、前記表示信号出力手段に対し前記画面表示モード切換指示に応じて切り換えた画面表示モードの情報をオンスクリーン表示させるように制御する
ことを特徴とする請求項１に記載の画面表示モード切換装置。
【請求項３】
前記制御手段は、前記記憶手段に記憶されている入力端子毎の累積視聴頻度からその入力端子での累積視聴頻度の多い順を判別し、前記入力切換手段に対し累積視聴頻度の多い順から切り換えるように制御することを特徴とする請求項１又は２に記載の画面表示モード切換装置。
【請求項４】
前記制御手段は、前記入力切換手段による切り換えを制御した後、所定時間経過後に、前記カウント手段に対しカウントを行わせるように制御することを特徴とする請求項１〜３のいずれかに記載の画面表示モード切換装置。
【請求項５】
前記視聴頻度は、視聴時間又は視聴回数であることを特徴とする請求項１〜４のいずれかに記載の画面表示モード切換装置。
【請求項６】
請求項１〜５のいずれかの画面表示モード切換装置を備えることを特徴とするテレビジョン受像機。
【請求項７】
画面表示モードを切り換える画面表示モード切換方法であって、
少なくとも異なる映像信号が入力される複数の入力端子のいずれかに切り換えるステップと、
切り換えられた前記映像信号の画面表示モードを切り換えるステップと、
前記入力端子のいずれかに切り換えられているときの前記画面表示モードでの視聴頻度をカウントするステップと、
前記入力端子に対応し、前記カウントされた前記画面表示モード毎の累積視聴頻度が記憶されるステップと、
入力切換指示に応じて前記入力端子の切り換えと前記カウントとを制御し、画面表示モード切換指示に応じて前記画面表示モードの切り換えを制御するステップとを有し、
前記入力端子の切り換えの制御に伴い、前記記憶されている前記画面表示モード毎の累積視聴頻度を参照し、前記画面表示モード切換指示に応じて前記累積視聴頻度の多い順に前記画面表示モードが切り換えられる
ことを特徴とする画面表示モード切換方法。
【請求項８】
少なくとも前記画面表示モードの情報をオンスクリーン表示させるための表示信号を出力するステップを有し、
前記画面表示モードの切り換えの制御に伴い、前記画面表示モード切換指示に応じて切り換えた画面表示モードの情報がオンスクリーン表示されるように制御される
ことを特徴とする請求項７に記載の画面表示モード切換方法。
【請求項９】
前記記憶されている入力端子毎の累積視聴頻度からその入力端子での累積視聴頻度の多い順を判別し、累積視聴頻度の多い順から前記入力端子が切り換えられるように制御されることを特徴とする請求項７又は８に記載の画面表示モード切換方法。
【請求項１０】
前記入力端子の切り換えを制御した後、所定時間経過後に、前記カウントが行われるように制御されることを特徴とする請求項７〜９のいずれかに記載の画面表示モード切換方法。
【請求項１１】
前記視聴頻度は、視聴時間又は視聴回数であることを特徴とする請求項７〜１０のいずれかに記載の画面表示モード切換方法。
【発明の詳細な説明】
【技術分野】
【０００１】
本発明は、外部入力の入力切換ボタンの操作に連動して画面表示モードの切換ボタンであるＡＶモード切換ボタンのトグル順の並べ換えを行うようにした画面表示モード切換装置、テレビジョン受像機及び画面表示モード切換方法に関する。
【背景技術】
【０００２】
たとえば、テレビジョン受像機では、外部入力信号等を入力する複数の入力端子が設けられており、これらの入力端子に接続された外部機器からの信号入力を、たとえばリモコンに設けられている入力切換ボタンを操作する毎にトグル式に切り換えることができるようになっている。
【０００３】
ところで、入力切換ボタンの操作に応じた外部機器からの信号入力の切り換え順は固定されているため、所望の外部機器からの信号入力を選択する場合、入力切換ボタンの操作を繰り返す必要があり操作が煩雑である。
【０００４】
このような操作の煩雑さを解消するようにしたものとして、特許文献１では、それぞれの入力端子の利用時間を計測して記憶し、入力切換えの際には記憶されている利用時間の長いものから順に切り換えられるようにしたＡＶ機器を提案している。
【特許文献１】特開平１１−２６１９０７号公報
【発明の開示】
【発明が解決しようとする課題】
【０００５】
このように、上述した特許文献１では、入力切換えの際には記憶されている利用時間の長いものから順に切り換えられるので、操作性の向上が図れる。
【０００６】
ところで、たとえばテレビジョン受像機では、ダイナミック、標準、映画、ゲーム、ＡＶメモリ等のような様々な画面表示モードをＡＶモード切換ボタンによってトグル順に切り換えできるようになっている。
【０００７】
これらの画面表示モードは、部屋の明るさや再生ソフトの内容に合わせて切り換えすることで最適な映像や音声が表現されるように、複数のモードが用意されており、映像や音声の調整が固定されているモードや、所定の範囲で調整可能なモード等が前記のダイナミック、標準、映画、ゲーム、ＡＶメモリ等のモードとして用意されている。複数の画面表示モードが用意されている場合に、上述した特許文献１のように、外部入力の切り換えが容易となった場合でも、外部入力の切り換え後に、ＡＶモード切換ボタンによって最適な画面表示モードを切り換えしようとすると、ＡＶモード切換ボタンの操作を繰り返す必要があり、操作が煩雑であるという問題があった。
【０００８】
本発明は、このような状況に鑑みてなされたものであり、上記問題点を解決することができる画面表示モード切換装置、テレビジョン受像機及び画面表示モード切換方法を提供することを目的とする。
【課題を解決するための手段】
【０００９】
本発明の画面表示モード切換装置は、画面表示モードを切り換える画面表示モード切換装置であって、少なくとも異なる映像信号が入力される複数の入力端子を有し、いずれかの入力端子に切り換える入力切換手段と、この入力切換手段によって切り換えられた前記映像信号の画面表示モードを切り換える画面表示モード切換手段と、前記入力端子のいずれかに切り換えられているときの前記画面表示モードでの視聴頻度をカウントするカウント手段と、前記入力端子に対応し、前記カウント手段によってカウントされた前記画面表示モード毎の累積視聴頻度が記憶される記憶手段と、入力切換指示に応じて前記入力切換手段による切り換えと前記カウント手段によるカウントとを制御し、画面表示モード切換指示に応じて前記画面表示モード切換手段による画面表示モードの切り換えを制御する制御手段とを備え、前記制御手段は、前記入力切換手段による切り換えの制御に伴い、前記記憶手段に記憶されている前記画面表示モード毎の累積視聴頻度を参照し、前記画面表示モード切換指示に応じて前記累積視聴頻度の多い順に画面表示モードが切り換えられるように前記画面表示モード切換手段を制御することを特徴とする。
また、少なくとも前記画面表示モードの情報をオンスクリーン表示させるための表示信号を出力する表示信号出力手段を有し、前記制御手段は、前記画面表示モード切換手段の制御に伴い、前記表示信号出力手段に対し前記画面表示モード切換指示に応じて切り換えた画面表示モードの情報をオンスクリーン表示させるように制御するようにすることができる。
また、前記制御手段は、前記記憶手段に記憶されている入力端子毎の累積視聴頻度からその入力端子での累積視聴頻度の多い順を判別し、前記入力切換手段に対し累積視聴頻度の多い順から切り換えるように制御するようにすることができる。
また、前記制御手段は、前記入力切換手段による切り換えを制御した後、所定時間経過後に、前記カウント手段に対しカウントを行わせるように制御するようにすることができる。
また、前記視聴頻度は、視聴時間又は視聴回数であるようにすることができる。
本発明のテレビジョン受像機は、請求項１〜５のいずれかの画面表示モード切換装置を備えることを特徴とする。
本発明の画面表示モード切換方法は、画面表示モードを切り換える画面表示モード切換方法であって、少なくとも異なる映像信号が入力される複数の入力端子のいずれかに切り換えるステップと、切り換えられた前記映像信号の画面表示モードを切り換えるステップと、前記入力端子のいずれかに切り換えられているときの前記画面表示モードでの視聴頻度をカウントするステップと、前記入力端子に対応し、前記カウントされた前記画面表示モード毎の累積視聴頻度が記憶されるステップと、入力切換指示に応じて前記入力端子の切り換えと前記カウントとを制御し、画面表示モード切換指示に応じて前記画面表示モードの切り換えを制御するステップとを有し、前記入力端子の切り換えの制御に伴い、前記記憶されている前記画面表示モード毎の累積視聴頻度を参照し、前記画面表示モード切換指示に応じて前記累積視聴頻度の多い順に前記画面表示モードが切り換えられることを特徴とする。
また、少なくとも前記画面表示モードの情報をオンスクリーン表示させるための表示信号を出力するステップを有し、前記画面表示モードの切り換えの制御に伴い、前記画面表示モード切換指示に応じて切り換えた画面表示モードの情報がオンスクリーン表示されるように制御される
また、前記記憶されている入力端子毎の累積視聴頻度からその入力端子での累積視聴頻度の多い順を判別し、累積視聴頻度の多い順から前記入力端子が切り換えられるように制御されるようにすることができる。
また、前記入力端子の切り換えを制御した後、所定時間経過後に、前記カウントが行われるように制御されるようにすることができる。
また、前記視聴頻度は、視聴時間又は視聴回数であるようにすることができる。
本発明の画面表示モード切換装置、テレビジョン受像機及び画面表示モード切換方法では、入力切換指示に応じて入力端子の切り換えとカウントが制御され、また画面表示モード切換指示に応じて画面表示モードの切り換えが制御される際、入力端子の切り換えの制御に伴い、記憶されている画面表示モード毎の累積視聴頻度が参照され、画面表示モード切換指示に応じて累積視聴頻度の多い順に画面表示モードが切り換えられる。
【発明の効果】
【００１０】
本発明の画面表示モード切換装置、テレビジョン受像機及び画面表示モード切換方法によれば、入力端子の切り換えの制御に伴い、記憶されている画面表示モード毎の累積視聴頻度が参照され、画面表示モード切換指示に応じて累積視聴頻度の多い順に画面表示モードが切り換えられるようにしたので、入力切換に伴う画面表示モードの切換操作を簡素化することができる。
【発明を実施するための最良の形態】
【００１１】
本実施形態では、制御手段により、入力切換指示に応じて入力切換手段による入力端子の切り換えと、カウント手段による視聴履歴のカウントが制御され、また画面表示モード切換指示に応じて画面表示モード切換手段による画面表示モードの切り換えが制御される際、入力端子の切り換えの制御に伴い、記憶手段に記憶されている各入力端子の画面表示モード毎のたとえば累積視聴時間が参照され、画面表示モード切換指示に応じてたとえば累積視聴時間の長い順に画面表示モードが切り換えられるように画面表示モード切換手段による切り換えが制御されるようにして、入力切換に伴う画面表示モードの切換操作が簡素化されることを説明する。
【実施例】
【００１２】
以下、本発明の実施例の詳細について説明する。図１は、本発明の画面表示モード切換装置をテレビジョン受像機に適用した場合の一実施例を説明するための図である。
【００１３】
図１に示すように、テレビジョン受像機１０は、入力切換スイッチ部１１、映像／音声処理部１２、スピーカ１３、ＲＧＢプロセッサ１４、表示部１５、ＯＳＤ（Ｏｎ  Ｓｃｒｅｅｎ  Ｄｉｓｐｌａｙ）コントローラ１６、カウンタ１７、視聴時間記憶部１８、リモコン受信部１９、ＣＰＵ２０を備えている。なお、符号３０は、選局指示、外部入力切換指示、画面表示モード切換指示等を行うリモコンを示している。
【００１４】
入力切換スイッチ部１１は、入力端子１１ａ〜１１ｅを有し、リモコン３０からの入力切換指示に応じたＣＰＵ２０の制御により入力切換を行う。ここで、入力端子１１ａにはチューナからの映像／音声信号が入力されるようになっている。入力端子１１ｂは、ＩＮＰＵＴ１であり、たとえばＤＶＤからの映像／音声信号が入力されるようになっている。入力端子１１ｃは、ＩＮＰＵＴ２であり、たとえばＧＡＭＥ１からの映像／音声信号が入力されるようになっている。
【００１５】
入力端子１１ｄは、ＩＮＰＵＴ３であり、たとえばＧＡＭＥ２からの映像／音声信号が入力されるようになっている。入力端子１１ｅは、ＩＮＰＵＴ４であり、たとえばＶＴＲからの映像／音声信号が入力されるようになっている。なお、本実施例では、ＩＮＰＵＴ１〜４までを例示しているが、これに限定されるものではなく、ＩＮＰＵＴ５以上であってもよいことは勿論である。
【００１６】
映像／音声処理部１２は、入力切換スイッチ部１１を介して入力された映像／音声信号を処理し、スピーカ１３及びＲＧＢプロセッサ１４へ出力する。スピーカ１３は、映像／音声処理部１２からの音声信号を再生する。
【００１７】
ＲＧＢプロセッサ１４は、映像／音声処理部１２からの映像信号と、ＯＳＤコントローラ１６からの映像信号とをＲ，Ｇ，Ｂへ変換し表示部１５へ出力する。また、ＲＧＢプロセッサ１４は、ＣＰＵ２０からの指示に応じて表示部１５における画面表示モードを切り換えるように制御する。ここで、画面表示モードとしては、ＳＴＡＮＤＡＲＤ、ＭＯＶＩＥ、ＧＡＭＥ、ＤＹＮＡＭＩＣ、ＵＳＥＲ、ＤＹＮＡＭＩＣ（Ｆｉｘｅｄ）等がある。表示部１５は、ＲＧＢプロセッサ１４からの映像信号に基づき映像を表示する。
【００１８】
ＯＳＤコントローラ１６は、たとえばリモコン３０からの選局指示、外部入力切換指示、画面表示モード切換指示等に伴う情報等をオンスクリーン表示させるための表示信号を出力する。カウンタ１７は、切り換えられたいずれかのＩＮＰＵＴ１〜４における累積視聴時間をそれぞれの画面表示モード毎にカウントする。なお、テレビジョン受像機の場合はチューナ入力による視聴が一般的に多く、カウンタ１７によるカウントは、ＩＮＰＵＴ１〜４における実際に視聴された時間を累積するために、チューナ入力からいずれかのＩＮＰＵＴ１〜４に切り換えられた後、所定時間（たとえば３０秒程度）経過後に開始されることが実視聴時間を累積するためにも好ましい。
【００１９】
また、カウンタ１７によるカウント停止は、たとえば再度入力切換が行われるか、あるいはリモコン３０の電源ボタンが操作された場合となっている。ここで、画面表示モードとしては、上述したように、ＳＴＡＮＤＡＲＤ、ＭＯＶＩＥ、ＧＡＭＥ、ＤＹＮＡＭＩＣ、ＵＳＥＲ、ＤＹＮＡＭＩＣ（Ｆｉｘｅｄ）等があり、各ＩＮＰＵＴ１〜４におけるそれぞれの画面表示モード毎の視聴時間はＣＰＵ２０によって判別され、視聴時間記憶部１８に記憶される。
【００２０】
視聴時間記憶部１８は、後述の図２に示すような各ＩＮＰＵＴ１〜４に対応させた視聴履歴テーブル１８ａ〜１８ｄを有し、ＣＰＵ２０によって判別された各ＩＮＰＵＴ１〜４における画面表示モード毎の累積視聴時間が書き換えられるようになっている。また、視聴時間記憶部１８は、各視聴履歴テーブル１８ａ〜１８ｄの累積視聴時間から各ＩＮＰＵＴ１〜４毎の累積視聴時間の順位が記憶される後述の図３に示すような外部入力履歴テーブル１８ｅを有している。
【００２１】
リモコン受信部１９は、リモコン３０からの選局指示、外部入力切換指示、画面表示モード切換指示等を示す赤外線信号によるリモコン信号を受信する。
【００２２】
ＣＰＵ２０は、所定の制御プログラムに基づいて各部の動作を制御する。本実施例におけるＣＰＵ２０の主な制御としては、リモコン３０からの外部入力切換指示に基づき、入力切換スイッチ部１１による切り換えを制御することである。なお、入力切換スイッチ部１１による切り換えは、後述の図３に示すようなチューナ入力に続いて選択される外部入力は、外部入力履歴テーブル１８ｅの順位に応じてトグル順となるように制御される。
【００２３】
また、ＣＰＵ２０の主な制御としては、後述の図２に示す視聴履歴テーブル１８ａ〜１８ｄを参照し、たとえばリモコン３０の上述した画面表示モードの切換ボタンである図示しないＡＶモード切換ボタンの操作に応じて画面表示モードをトグル順に切り換えるようにＲＧＢプロセッサ１４を制御することである。
【００２４】
また、ＣＰＵ２０の主な制御としては、入力切換スイッチ部１１による切り換えを制御してから所定時間（たとえば３０秒程度）経過後に、カウンタ１７に対して切り換えされたＩＮＰＵＴ１〜４のいずれかの画面表示モード毎の視聴時間をカウントさせることである。
【００２５】
また、ＣＰＵ２０の主な制御としては、カウンタ１７によるカウント値を基に、視聴時間記憶部１８の後述の図２に示す各ＩＮＰＵＴ１〜４に対応させた視聴履歴テーブル１８ａ〜１８ｄの画面表示モード毎の累積視聴時間を書き換えることである。
【００２６】
また、ＣＰＵ２０の主な制御としては、後述の図２に示す視聴履歴テーブル１８ａ〜１８ｄの累積視聴時間からＩＮＰＵＴ１〜４の視聴時間の長い順を判別し、後述の図３に示す外部入力履歴テーブル１８ｅのＩＮＰＵＴ１〜４の順位を書き換えることである。
【００２７】
図２は、視聴時間記憶部１８に記憶される視聴履歴テーブル１８ａ〜１８ｄを説明するための図である。まず、図２（ａ）は、ＩＮＰＵＴ１に対応する視聴履歴テーブル１８ａであり、たとえばＭＯＶＩＥモード、ＧＡＭＥモード・・・の順に画面表示モードの累積視聴時間が長いことを示している。このような視聴履歴テーブル１８ａを参照することで、ＩＮＰＵＴ１に切り換えられているとき、リモコン３０の上述したＡＶモード切換ボタンの操作に応じて、ＭＯＶＩＥモード、ＧＡＭＥモード・・・の順に画面表示モードが切り換えられることになる。
【００２８】
図２（ｂ）は、ＩＮＰＵＴ２に対応する視聴履歴テーブル１８ｂであり、たとえばＧＡＭＥモード、ＳＴＡＮＤＡＲＤモード・・・の順に画面表示モードの累積視聴時間が長いことを示している。このような視聴履歴テーブル１８ｂを参照することで、ＩＮＰＵＴ２に切り換えられているとき、リモコン３０の上述したＡＶモード切換ボタンの操作に応じて、ＧＡＭＥモード、ＳＴＡＮＤＡＲＤモード・・・の順に画面表示モードが切り換えられることになる。
【００２９】
図２（ｃ）は、ＩＮＰＵＴ３に対応する視聴履歴テーブル１８ｃであり、たとえばＧＡＭＥモード、ＳＴＡＮＤＡＲＤモード・・・の順に画面表示モードの累積視聴時間が長いことを示している。このような視聴履歴テーブル１８ｃを参照することで、ＩＮＰＵＴ３に切り換えられているとき、リモコン３０の上述したＡＶモード切換ボタンの操作に応じて、ＧＡＭＥモード、ＳＴＡＮＤＡＲＤモード・・・の順に画面表示モードが切り換えられることになる。
【００３０】
図２（ｄ）は、ＩＮＰＵＴ４に対応する視聴履歴テーブル１８ｄであり、たとえばＳＴＡＮＤＡＲＤモード、ＭＯＶＩＥモード・・・の順に画面表示モードの累積視聴時間が長いことを示している。このような視聴履歴テーブル１８ｄを参照することで、ＩＮＰＵＴ４に切り換えられているとき、リモコン３０の上述したＡＶモード切換ボタンの操作に応じて、ＳＴＡＮＤＡＲＤモード、ＭＯＶＩＥモード・・・の順に画面表示モードが切り換えられることになる。
【００３１】
図３は、視聴時間記憶部１８に記憶される外部入力履歴テーブル１８ｅを説明するための図である。外部入力履歴テーブル１８ｅは、上記の視聴履歴テーブル１８ａ〜１８ｄの累積視聴時間からＩＮＰＵＴ１〜４の視聴時間の長い順を示すものである。ここでは、ＩＮＰＵＴ１、ＩＮＰＵＴ３、ＩＮＰＵＴ２、ＩＮＰＵＴ４の順に視聴時間が長いことを示している。この外部入力履歴テーブル１８ｅを用いることで、リモコン３０からの外部入力切換指示に基づき、ＣＰＵ２０による入力切換スイッチ部１１によるチューナ入力に続いて選択される外部入力は、ＩＮＰＵＴ１→ＩＮＰＵＴ３→ＩＮＰＵＴ２→ＩＮＰＵＴ４の順とされる。
【００３２】
次に、画面表示モード切換方法について図４と図５のフローチャートに基づいて説明する。なお、以下の説明では、ＩＮＰＵＴ１〜ＩＮＰＵＴ４の累積視聴時間が図３で説明したように、ＩＮＰＵＴ１、ＩＮＰＵＴ３、ＩＮＰＵＴ２、ＩＮＰＵＴ４の順に長いものとされ、リモコン３０の入力切換ボタンが操作される毎に、ＣＰＵ２０による入力切換スイッチ部１１による切り換えがチューナ入力に続いてＩＮＰＵＴ１→ＩＮＰＵＴ３→ＩＮＰＵＴ２→ＩＮＰＵＴ４の順とされるものとする。
【００３３】
また、各ＩＮＰＵＴ１〜ＩＮＰＵＴ４での画面表示モード毎の累積視聴時間は、図２で説明したようになっているものとする。また、チューナ入力による視聴の状態をスタート状態として説明する。
【００３４】
まず、図４に示すように、ＣＰＵ２０により、リモコン３０の入力切換ボタンの操作の有無が判断され（ステップＳ１）、入力切換ボタンの操作が有ると、図３に示した外部入力履歴テーブル１８ｅが参照され（ステップＳ２）、リモコン３０の入力切換ボタンの操作が有る毎に、入力切換スイッチ部１１による切り換えがＩＮＰＵＴ１→ＩＮＰＵＴ３→ＩＮＰＵＴ２→ＩＮＰＵＴ４→チューナ入力の順とされる（ステップＳ３）。また、これらの切り換えが行われる際は、ＯＳＤコントローラ１６から入力切換を示す表示信号が出力され、表示部１５にオンスクリーン表示される。なお、画面表示モードのオンスクリーン表示は所定時間であればよい。
【００３５】
ここで、たとえばＩＮＰＵＴ１に切り換えられたとする。このとき、ＣＰＵ２０により、一定時間内でリモコン３０の画面表示モードの切換ボタンであるＡＶモード切換ボタンの操作の有無が判断され（ステップＳ４）、ＡＶモード切換ボタンの操作が無ければ、現時点での画面表示モードが設定される（ステップＳ５）。
【００３６】
これに対し、一定時間内にＡＶモード切換ボタンの操作が有る場合は、図２（ａ）に示したＩＮＰＵＴ１に対応する視聴履歴テーブル１８ａが参照される（ステップＳ６）。図２（ａ）の視聴履歴テーブル１８ａでは、画面表示モードの累積視聴時間が最も長いモードがＭＯＶＩＥモードであり、次に累積視聴時間が長いモードがＧＡＭＥモードであるため、リモコン３０のＡＶモード切換ボタンの操作に応じて画面表示モードがＭＯＶＩＥモード、ＧＡＭＥモード・・・の順にトグル式に切り換えられるようにＲＧＢプロセッサ１４が制御されて画面表示モードが設定される（ステップＳ５）。
【００３７】
このとき、ＣＰＵ２０によりＯＳＤコントローラ１６が制御され、画面表示モードがＡＶモード切換ボタンの操作に応じてトグル順にオンスクリーン表示されるための表示信号が出力される。これにより、表示部１５にリモコン３０のＡＶモード切換ボタンの操作に応じて切り換えられる画面表示モードの情報が表示されるため、ユーザは現在の画面表示モードを確認することができる。なお、画面表示モードのオンスクリーン表示は所定時間であればよい。
【００３８】
次いで、ＣＰＵ２０により、入力切換スイッチ部１１による切り換えを制御してから所定時間（たとえば３０秒程度）経過すると（ステップＳ７）、図５に示すように、カウンタ１７に対して切り換えされたＩＮＰＵＴ１において設定されている画面表示モードでの視聴時間のカウントが指示される（ステップＳ８）。
【００３９】
ここで、ＩＮＰＵＴ１において設定されている画面表示モードがＭＯＶＩＥモードである場合は、そのモードに対する視聴時間のカウントが行われることになる。また、ＩＮＰＵＴ１において設定されている画面表示モードがたとえばＧＡＭＥモードである場合は、そのモードに対する視聴時間のカウントが行われることになる。
【００４０】
次いで、ＣＰＵ２０により、視聴終了か否かが判断される（ステップＳ９）。ここでの視聴終了か否かの判断は、たとえば再度入力切換が行われるか、あるいはリモコン３０の電源ボタンが操作された場合である。ここで、視聴終了と判断されると、ＣＰＵ２０により、カウンタ１７によるたとえばＭＯＶＩＥモードでのカウント値を基に、視聴時間記憶部１８の図２（ａ）に示したＩＮＰＵＴ１に対応する視聴履歴テーブル１８ａのＭＯＶＩＥモードの累積視聴時間が書き換えられる。
【００４１】
同様に、カウンタ１７によるカウント値がたとえばＧＡＭＥモードである場合、図２（ａ）のＩＮＰＵＴ１に対応する視聴履歴テーブル１８ａのＧＡＭＥモードの累積視聴時間が書き換えられることになる。また、図５のフローチャートには記載が無いが、ステップＳ８の後に再度入力切換ボタンが押された場合は、ステップＳ１に戻り以降のステップが実行されることになる。
【００４２】
また、以上のような累積視聴時間の書き換えは、ＩＮＰＵＴ２〜ＩＮＰＵＴ４のいずれかに切り換えられた場合にも同様にして行われる。
【００４３】
以上のようにしてＩＮＰＵＴ１〜ＩＮＰＵＴ４のそれぞれの画面表示モードの累積視聴時間が時間の経過とともに書き換えられることで、ＩＮＰＵＴ１〜ＩＮＰＵＴ４のそれぞれにおける画面表示モードがユーザの嗜好に応じて決定される。そのため、ユーザが入力切換を行う度に画面表示モードをリモコン３０のＡＶモード切換ボタンを操作して切り換えるとき、ＡＶモード切換ボタンを１回操作することでそれぞれのＩＮＰＵＴ１〜ＩＮＰＵＴ４からの映像信号に応じた最適な画面表示モードに切り換えられることになる。
【００４４】
また、ＣＰＵ２０により、図２の視聴履歴テーブル１８ａ〜１８ｄの累積視聴時間から図３に示した外部入力履歴テーブル１８ｅにおける外部入力であるＩＮＰＵＴ１〜ＩＮＰＵＴ４の順位が書き換えられるため、ユーザがリモコン３０の入力切換ボタンを操作して所望の外部入力を切り換えるといった操作が簡素化される。
【００４５】
このように、本実施例では、制御手段としてのＣＰＵ２０により、入力切換指示に応じて入力切換手段としての入力切換スイッチ部１１による入力端子の切り換えとカウント手段としてのカウンタ１７によるカウントが制御され、また画面表示モード切換指示に応じて画面表示モード切換手段としてのＲＧＢプロセッサ１４による画面表示モードの切り換えが制御される際、入力端子としてのＩＮＰＵＴ１〜ＩＮＰＵＴ４の切り換えの制御に伴い、記憶手段としての視聴時間記憶部１８に記憶されている画面表示モード毎の累積視聴時間が参照され、画面表示モード切換指示に応じて累積視聴時間の長い順に画面表示モードが切り換えられるようにＲＧＢプロセッサ１４による切り換えが制御されるようにしたので、入力切換に伴う画面表示モードの切換操作を簡素化することができる。
【００４６】
また、本実施例では、少なくとも画面表示モードの情報をオンスクリーン表示させるための表示信号を出力する表示信号出力手段としてのＯＳＤコントローラ１６を有し、ＣＰＵ２０により、ＲＧＢプロセッサ１４による画面表示モードの切り換えの制御に伴い、ＯＳＤコントローラ１６に対し画面表示モード切換指示に応じて切り換えた画面表示モードの情報をオンスクリーン表示させるように制御しているので、表示部１５に切り換えた現在の画面表示モードが表示され、ユーザに現在の画面表示モードを確認させることができる。
【００４７】
また、本実施例では、ＣＰＵ２０により、視聴時間記憶部１８に記憶されているＩＮＰＵＴ１〜ＩＮＰＵＴ４毎の累積視聴時間からそのＩＮＰＵＴ１〜ＩＮＰＵＴ４での視聴時間の長い順を判別し、入力切換スイッチ部１１に対し累積視聴時間の長い順から切り換えるように制御しているので、リモコン３０の入力切換ボタンによる操作を簡素化することができる。
【００４８】
また、本実施例では、ＣＰＵ２０により、入力切換スイッチ部１１による切り換えが制御されてから所定時間（たとえば３０秒程度）経過した後、カウンタ１７に対してのカウントが指示されるようにしたので、実際に視聴された時間を累積することができる。
【００４９】
なお、本実施例では、画面表示モード切換指示に応じて視聴頻度であるたとえば視聴時間の長い順に画面表示モードが切り換えられるようにした場合について説明したが、これに限らず、視聴回数の多い順に画面表示モードが切り換えられるようにしてもよい。
【００５０】
この場合、カウンタ１７により、切り換えられた画面表示モードでの視聴をカウントし、たとえば視聴時間記憶部１８の視聴履歴テーブル１８ａ〜１８ｄでの累積視聴時間の項目にカウントされた回数が累積されるようにすればよい。
【００５１】
また、本実施例では、画面表示モード切換指示に応じて視聴時間の長い順に画面表示モードのトグル順が切り換えられるようにした場合について説明したが、これに限らず、いずれかの外部入力に切り換えられたとき、その切り換えられた外部入力での累積視聴時間の最も長い画面表示モードに自動的に切り換えられるようにしてもよい。
【産業上の利用可能性】
【００５２】
テレビジョン受像機に限らず、ＰＤＡ、携帯電話、ノートパソコン、モバイル向けテレビ等の機器にも適用可能である。
【図面の簡単な説明】
【００５３】
【図１】本発明の画面表示モード切換装置をテレビジョン受像機に適用した場合の一実施例を説明するためのブロック図である。
【図２】図１の視聴時間記憶部に記憶される視聴履歴テーブルを説明するための図である。
【図３】図１の視聴時間記憶部に記憶される外部入力履歴テーブルを説明するための図である。
【図４】図１のテレビジョン受像機における画面表示モード切換方法について説明するためのフローチャートである。
【図５】図１のテレビジョン受像機における画面表示モード切換方法について説明するためのフローチャートである。
【符号の説明】
【００５４】
１１  入力切換スイッチ部（入力切換手段）
１１ａ〜１１ｅ（入力端子）
１２  映像／音声処理部
１３  スピーカ
１４  ＲＧＢプロセッサ（画面表示モード切換手段）
１５  表示部
１６  ＯＳＤコントローラ（表示信号出力手段）
１７  カウンタ（カウント手段）
１８  視聴時間記憶部（記憶手段）
１８ａ〜１８ｄ  視聴履歴テーブル
１８ｅ  外部入力履歴テーブル
１９  リモコン受信部
２０  ＣＰＵ（制御手段）
３０  リモコン
【図１】
2008042703.tif 000003
【図２】
2008042703.tif 000004
【図３】
2008042703.tif 000005
【図４】
2008042703.tif 000006
【図５】
2008042703.tif 000007